(57)【要約】【課題】再熱除湿機能を備えた空気調和機において、本体ケーシング内のスペースを有効に利用して作業スペースを確保でき、据付時の配管接続の作業性を向上できる空気調和機の室内機を提供する。【解決手段】再熱除湿機能を備えた床置き型または壁埋め込み型の空気調和機の室内機において、本体ケーシングと、その本体ケーシング内に配置された略平面形状の室内熱交換器１５と、本体ケーシング内かつ室内熱交換器１５の後面側に設けられた風通路とを備える。上記本体ケーシング内、かつ、室内熱交換器１５および風通路の側方に設けられた側室Ｓ内に配管接続部６０を配置する。そして、上記側室Ｓ内かつ電装品箱８０近傍に再熱除湿用の電磁弁１９を配置する。【選択図】図６
2008256276.tif 000002
【特許請求の範囲】
【請求項１】
床置き型または壁埋め込み型の空気調和機の室内機であって、
本体ケーシング(３１,３２)と、
上記本体ケーシング(３１,３２)内に配置された略平面形状の熱交換器(１５)と、
上記本体ケーシング(３１,３２)内の上記熱交換器(１５)の後面側に設けられた風通路(２０)と、
上記本体ケーシング(３１,３２)内、かつ、上記熱交換器(１５)および上記風通路(２０)の側方の側室と、
上記側室内に配置された配管接続部(６０)と、
上記側室内に配置された電装品箱(８０)と、
上記側室内かつ上記電装品箱(８０)近傍に配置された弁(１９)と
を備えたことを特徴とする空気調和機の室内機。
【請求項２】
請求項１に記載の空気調和機の室内機において、
上記本体ケーシング(３１,３２)内の上記側室の下側に設けられたドレン受部(７１)を備え、
上記ドレン受部(７１)の上方に上記弁(１９)が位置することを特徴とする空気調和機の室内機。
【請求項３】
請求項２に記載の空気調和機の室内機において、
上記ドレン受部(７１)の上方に、上記熱交換器(１５)および上記配管接続部(６０)に接続された配管のうちの少なくとも断熱されていない部分が位置することを特徴とする空気調和機の室内機。
【請求項４】
請求項１乃至３のいずれか１つに記載の空気調和機の室内機において、
上記弁(１９)は、電磁弁または電動膨張弁であることを特徴とする空気調和機の室内機。
【請求項５】
請求項１乃至４のいずれか１つに記載の空気調和機の室内機において、
上記電装品箱(８０)は、上記本体ケーシング(３１,３２)の上記側室内から前方に取り外し可能に取り付けられていることを特徴とする空気調和機の室内機。
【請求項６】
請求項１乃至３のいずれか１つに記載の空気調和機の室内機において、
上記弁(１９)は、再熱除湿用の電磁弁または再熱除湿用の電動膨張弁であることを特徴とする空気調和機の室内機。
【発明の詳細な説明】
【技術分野】
【０００１】
この発明は、空気調和機の室内機に関し、特に、再熱除湿機能を備えた床置き型または壁埋め込み型の空気調和機の室内機に関する。
【背景技術】
【０００２】
従来、空気調和機の室内機としては、室内の壁に後面側が接するように床に据え付けられる床置き型のものがある(例えば、特開平１１−２３０５６５号公報(特許文献１)参照)。
【０００３】
このような床置き型の空気調和機の室内機において、室内温度を下げすぎることなく除湿を行う再熱除湿機能を備えようとすると、室内熱交換器を２つの熱交換部に分けて、その熱交換部の間に電磁弁を配置して、一方の熱交換部を蒸発器とし、他方の熱交換部を凝縮器として働かせて再熱除湿運転を行うものがある。
【０００４】
この再熱除湿機能を備えた空気調和機の室内機の場合、室外からの連絡配管が接続される配管接続部や電装品箱が配置された限られたスペースに電磁弁を配置すると、配管接続の作業スペースが狭くなり、施工時の作業性が低下するという問題がある。
【特許文献１】特開平１１−２３０５６５号公報
【発明の開示】
【発明が解決しようとする課題】
【０００５】
そこで、この発明の課題は、床置き型または壁埋め込み型の空気調和機において、本体ケーシング内のスペースを有効に利用して作業スペースを確保でき、据付時の配管接続の作業性を向上できる空気調和機の室内機を提供することにある。
【課題を解決するための手段】
【０００６】
上記課題を解決するため、この発明の空気調和機の室内機は、
床置き型または壁埋め込み型の空気調和機の室内機であって、
本体ケーシングと、
上記本体ケーシング内に配置された略平面形状の熱交換器と、
上記本体ケーシング内の上記熱交換器の後面側に設けられた風通路と、
上記本体ケーシング内、かつ、上記熱交換器および上記風通路の側方の側室と、
上記側室内に配置された配管接続部と、
上記側室内に配置された電装品箱と、
上記側室内かつ上記電装品箱近傍に配置された弁と
を備えたことを特徴とする。
【０００７】
上記構成によれば、上記本体ケーシング内において、略平面形状の熱交換器およびその熱交換器の後面側に設けられた風通路の側方に風通路と隔てて側室が設けられ、その側室内に電装品箱を配置すると共に、側室内かつ電装品箱近傍に弁を配置することによって、通常、配管接続部よりも上側に配置された電装品箱近傍の弁が配管接続の作業の妨げにならない。このように、外部から連絡配管が接続される配管接続の作業スペースを確保しつつ、同時に弁のコイルからのハーネスを短くでき、ハーネスの引き回しを簡略化して組立などの作業時間を短縮する。したがって、床置き型または壁埋め込み型の空気調和機において、本体ケーシング内のスペースを有効に利用して作業スペースを確保でき、据付時の配管接続の作業性を向上できる。
【０００８】
また、一実施形態の空気調和機の室内機では、
上記本体ケーシング内の上記側室の下側に設けられたドレン受部を備え、
上記ドレン受部の上方に上記弁が位置する。
【０００９】
上記実施形態によれば、上記本体ケーシング内の上記側室の下側に設けられたドレン受部の上方に弁が位置することによって、弁に付着した結露水が滴下してもドレン受部で受けることができる。
【００１０】
また、一実施形態の空気調和機の室内機では、上記ドレン受部の上方に、上記熱交換器および上記配管接続部に接続された配管のうちの少なくとも断熱されていない部分が位置する。
【００１１】
上記実施形態によれば、上記ドレン受部の上方に、熱交換器および配管接続部に接続された配管のうちの少なくとも断熱されていない部分が位置することによって、そのような熱交換器および配管接続部に接続された配管に付着した結露水が滴下してもドレン受部で受けることができる。
【００１２】
また、一実施形態の空気調和機の室内機では、上記弁は、電磁弁または電動膨張弁である。
【００１３】
上記実施形態によれば、上記弁に用いられる電磁弁(または電動膨張弁)のコイルと電装品箱との間の配線距離を短くでき、配線の引き回しを簡略化して組立などの作業時間を短縮することが可能となる。
【００１４】
また、一実施形態の空気調和機の室内機では、上記電装品箱は、上記本体ケーシングの上記側室内から前方に取り外し可能に取り付けられている。
【００１５】
上記実施形態によれば、上記電装品箱を本体ケーシングの側室内から前方に取り外すことにより、上記側室内かつ電装品箱近傍に配置された弁の修理交換などが容易にでき、メンテナンス性が向上する。
【００１６】
また、一実施形態の空気調和機の室内機では、上記弁は、再熱除湿用の電磁弁または再熱除湿用の電動膨張弁である。
【００１７】
上記実施形態によれば、上記弁に再熱除湿用の電磁弁または再熱除湿用の電動膨張弁を用いて電磁弁または電動膨張弁を開閉することによって、通常の冷房運転や暖房運転から再熱除湿運転に容易に切り換えることが可能となる。また、上記再熱除湿用の電磁弁(または再熱除湿用の電動膨張弁)のコイルと電装品箱との間の配線距離を短くでき、配線の引き回しを簡略化して組立などの作業時間を短縮することが可能となる。ここで、弁に再熱除湿用の電磁弁を用いる場合は、キャピラリが並列に接続された閉動作で全閉となる電磁弁でもよいし、閉動作で絞り機能を有する電磁弁であってもよい。
【発明の効果】
【００１８】
以上より明らかなように、この発明の空気調和機の室内機によれば、本体ケーシング内のスペースを有効に利用して作業スペースを確保でき、据付時の配管接続の作業性を向上できる再熱除湿機能を備えた床置き型または壁埋め込み型の空気調和機の室内機を実現することができる。
【００１９】
また、一実施形態の空気調和機の室内機によれば、上記本体ケーシング内の側室の下側に設けられたドレン受部の上方に弁が位置することによって、弁に付着した結露水が滴下してもドレン受部で受けることができる。
【００２０】
また、一実施形態の空気調和機の室内機によれば、上記ドレン受部の上方に、熱交換器および配管接続部に接続された配管のうちの少なくとも断熱されていない部分が位置することによって、そのような熱交換器および配管接続部に接続された配管に付着した結露水が滴下してもドレン受部で受けることができる。
【００２１】
また、一実施形態の空気調和機の室内機によれば、上記弁に用いられる電磁弁(または電動膨張弁)のコイルと電装品箱との間の配線距離を短くでき、配線の引き回しを簡略化して組立などの作業時間を短縮することが可能となる。
【００２２】
また、一実施形態の空気調和機の室内機によれば、上記電装品箱を本体ケーシングの側室内から前方に取り外し可能に取り付けられていることによって、電装品箱を前方に取り外して側室内かつ電装品箱近傍に配置された弁の修理交換などを容易に行うことができ、メンテナンス性が向上する。
【００２３】
また、一実施形態の空気調和機の室内機によれば、弁に再熱除湿用の電磁弁または再熱除湿用の電動膨張弁を用いて開閉することによって、通常の冷房運転や暖房運転から再熱除湿運転に容易に切り換えることが可能となる。
【発明を実施するための最良の形態】
【００２４】
以下、この発明の空気調和機の室内機を図示の実施の形態により詳細に説明する。
【００２５】
図１はこの発明の実施の一形態の空気調和機の室内機２とその室内機２に連絡配管Ｌ１,Ｌ２を介して接続された室外機１の冷媒回路の回路図を示している。この空気調和機は、図１に示すように、圧縮機１１と、上記圧縮機１１の吐出側が一端に接続された四路切換弁１２と、上記四路切換弁１２の他端に一端が接続された室外熱交換器１３と、上記室外熱交換器１３の他端に一端が接続された電動膨張弁１４と、上記電動膨張弁１４の他端に閉鎖弁２１,連絡配管Ｌ１を介して一端が接続された第１熱交換部１５Ａと、上記第１熱交換部１５Ａの他端に一端が接続された弁の一例として再熱除湿用の電磁弁１９と、その電磁弁１９の他端に一端が接続された第２熱交換部１５Ｂと、上記第２熱交換部１５Ｂの他端に連絡配管Ｌ２,閉鎖弁２２,四路切換弁１２を介して一端が接続され、他端が圧縮機１１の吸入側に接続されたアキュムレータ１６とを備えている。上記第１熱交換部１５Ａ,と第２熱交換部１５Ｂで室内熱交換器１５(図３,図６,図７に示す)を構成している。
【００２６】
上記圧縮機１１,四路切換弁１２,室外熱交換器１３,電動膨張弁１４,室内熱交換器１５,電磁弁１９およびアキュムレータ１６で冷媒回路を構成している。上記圧縮機１１,四路切換弁１２,室外熱交換器１３,電動膨張弁１４,アキュムレータ１６,室外ファン１７および加湿ユニット４２で室外機１を構成し、第１熱交換部１５Ａ,第２熱交換部１５Ｂ,室内ファン１８,電磁弁１９およびダクト部４０で室内機２を構成している。
【００２７】
また、この空気調和機は、室外からの加湿空気を室内に供給するためのダクト部４０を室内機２に備えると共に、そのダクト部４０のホース接続部４０bと加湿ホース４１を介して接続された加湿ユニット４２を室外機１に備えている。
【００２８】
上記構成の空気調和機において、暖房運転時、電磁弁１９を開いた状態で四路切換弁１２を実線の切換え位置に切り換えて、圧縮機１１を起動すると、圧縮機１１から吐出された高圧冷媒が四路切換弁１２を通って第２熱交換部１５Ｂ,第１熱交換部１５Ａに入る。そして、上記第１,第２熱交換部１５Ａ,１５Ｂで凝縮した冷媒は、電動膨張弁１４で減圧された後に室外熱交換器１３に入る。上記室外熱交換器１３で蒸発した冷媒が四路切換弁１２およびアキュムレータ１６を介して圧縮機１１の吸入側に戻る。こうして、上記圧縮機１１,第１熱交換部１５Ａ,電磁弁１９,第２熱交換部１５Ｂ,電動膨張弁１４,室外熱交換器１３およびアキュムレータ１６で構成された冷媒回路を冷媒が循環して、冷凍サイクルを実行する。そして、室内ファン１８により第１,第２熱交換部１５Ａ,１５Ｂを介して室内空気を循環させることにより室内を暖房する。
【００２９】
これに対して、冷房運転時は、電磁弁１９を開いた状態で四路切換弁１２を点線の切換え位置に切り換えて、圧縮機１１,室外熱交換器１３,電動膨張弁１４,第１熱交換部１５Ａ,電磁弁１９,第２熱交換部１５Ｂおよびアキュムレータ１６の順に冷媒が循環する冷凍サイクルを実行する。
【００３０】
また、暖房運転時等において室内が乾燥する場合、加湿ユニット４２からの加湿空気を加湿ホース４１とダクト部４０を介して室内に供給する。この加湿ユニット４２は、ゼオライト等の吸着材を用いて室外空気から水分を吸着し、その吸着剤に吸着した水分により室外空気を加湿した後、加湿された室外空気を室内機２に供給するものである。なお、加湿ユニットの構成はこれに限らず、水道などの給水手段により補給される水を用いて、加湿された空気を室内機に供給する加湿ユニットなどでもよい。
【００３１】
そして、室内温度を下げすぎずに快適な除湿を行う再熱除湿運転では、電動膨張弁１４を開くと共に電動弁１９を閉じて絞り状態にし、さらに四路切換弁１２を実線の位置に切り換えて、圧縮機１１を起動すると、室外熱交換器１３と第１熱交換部１５Ａが凝縮器として働く一方、第２熱交換部１５Ｂが蒸発器として働く。そうすることにより、第１熱交換部１５Ａで室内空気を温めつつ第２熱交換部１５Ｂで除湿と冷却が行われて、室内温度を下げずに除湿を行う。
【００３２】
図２は上記空気調和機の床置き型の室内機２の斜視図を示している。この室内機２は、図２に示すように、室内の壁面に後面側が取り付けられる略長方形状の底フレーム３１と、上記底フレーム３１の前面側に取り付けられ、前面に略長方形状の開口部(図示せず)を有する前面グリル３２と、前面グリル３２の開口部を覆うように取り付けられた吸込パネル３３とを備えている。上記底フレーム３１と前面グリル３２で本体ケーシングを構成している。
【００３３】
上記前面グリル３２の上部に上側吹出口３２aを設けると共に、前面グリル３２の下部に下側吹出口３２bを設けている。上記前面グリル３２の上側吹出口３２aにフラップ３４を設けている。このフラップ３４は、冷房運転および暖房運転時に回動して、上側吹出口３２aから冷風,温風を前方かつ斜め上方に吹き出し、運転停止時に上側吹出口３２aを覆う。
【００３４】
また、上記吸込パネル３３の上側に上側吸込口３３aを設け、吸込パネル３３の下側に下側吸込口３３bを設け、さらに吸込パネル３３の左右の側面に側方吸込口３３c(図２では右側のみを示す)を設けている。
【００３５】
また、上記底フレーム３１の前面グリル３２の後縁近傍に、上側カバー３５と、左側カバー３６(図３に示す)と、右側カバー３７とを取り外し自在に夫々取り付けている。この上側カバー３５,左側カバー３６および右側カバー３７は、係止爪(図示せず)が夫々設けられ、その係止爪が底フレーム３１に設けられた係合部(図示せず)に係合することにより、上側カバー３５,左側カバー３６および右側カバー３７が底フレーム３１に夫々固定されている。
【００３６】
図３は床置き型として据え付けられた室内機２の側面図を示している。図３に示すように、本体ケーシング(３１,３２)内の左側面近傍かつ下側にダクト部４０を配置している。上記ダクト部４０は、吸込パネル３３と室内熱交換器１５との間に、加湿された室外空気を室内に供給するための給気口の一例としての室内側開口４０aを一端に有し、底フレーム３１内の左側面近傍かつ下側で、室外に連なる空気通路としての加湿ホース４１の一端が接続されるホース接続部４０bを他端に有している。図３において、上側カバー３５,左側カバー３６および右側カバー３７(図２に示す)は、底フレーム３１に取り付けられている。
【００３７】
この室内機２は、背面側を壁面に接するように床置きされている。上記加湿ホース４１は、壁面側から連絡配管Ｌ１,Ｌ２(図１に示す)と共に室内機２に接続される。
【００３８】
図４は図３に示す上側カバー３５,左側カバー３６を外した状態の室内機２を示す側面図を示している。なお、図４では、上側カバー３５を外しているが、壁埋め込みとしないときは接続作業時に上側カバー３５を外さなくともよい。
【００３９】
この室内機２を据え付けるとき、図４に示すように、左側カバー３６を底フレーム３１から外した状態で作業者の手が入る程度に壁面から離した位置に室内機２に仮置きして、目視用開口部３１aを介して目視確認しながら加湿ホース４１をホース接続部４０bに容易に接続する。そして、加湿ホース４１および連絡配管Ｌ１,Ｌ２(図１に示す)の接続が完了した後、再び上側カバー３５と左側カバー３６を底フレーム３１に取り付ける。次に、図３に示すように、室内機２の背面側を壁面につけてねじ等を用いて壁３０に固定する。
【００４０】
なお、図５に示すように、この室内機２において、図２,図３に示す上側カバー３５,左側カバー３６および右側カバー３７を外した状態で底フレーム３１の一部(前面グリル３２の後縁よりも背面側部分)を壁３０内に埋め込んで据え付けてもよい。
【００４１】
また、図６は上記室内機２の吸込パネル３３と前面グリル３２を取り外した状態を示す正面図を示している。図６に示すように、底フレーム３１の前面側に略平面形状の室内熱交換器１５が配置され、その裏面側に室内ファン１８を配置している。この室内ファン１８は、前面側から空気を吸い込んで半径方向外向に吹き出すターボファンである。上記底フレーム３１の左側面近傍かつ下側にダクト部４０を配置している。このダクト部４０は、後面側斜め上方に向かって開口する略長方形状の室内側開口部４０aを上端に有する本体４０cと、その本体４０cの下端から下方に延びて後面側に向かって湾曲する湾曲部４０dとを有する。このダクト部４０の湾曲部４０dの下端にホース接続部４０b(図３,図４に示す)を設けている。上記底フレーム３１の上側に上側吹出口３２aを有すると共に、底フレーム３１の下側に下側吹出口３２bを有している。
【００４２】
また、図６に示すように、底フレーム３１の右側面近傍の側室Ｓに、連絡配管Ｌ１,Ｌ２が接続される配管接続部６０を設けている。連絡配管Ｌ１,Ｌ２は、底フレーム３１の左側面近傍かつ下側に背面側から加湿ホース４１(図３〜図５に示す)と共に入り、底フレーム３１内の下側を左から右に向かって導かれて配管接続部６０に接続される。
【００４３】
ここで、底フレーム３１の左側面において、連絡配管Ｌ１,Ｌ２(図１に示す)を左側方から底フレーム３１内に入れて配管接続部６０に接続する場合、図４に示す底フレーム３１の目視用開口部３１aの後面側に底フレーム３１と一体に形成された台形状の板部材３１bを外すことにより、板部材３１bが外された部分と目視用開口部３１aによって、連絡配管Ｌ１,Ｌ２を左側方から底フレーム３１内に挿入するための穴が形成される。上記板部材３１bの目視用開口部３１a側を除く外周に溝を形成することにより薄肉にして、板部材３１bを外しやすくしている。
【００４４】
このように、連絡配管Ｌ１,Ｌ２を左側方から配管接続部６０に接続するための穴の一部を目視用開口部３１aに兼用しているので、別に目視用開口部を本体ケーシングに設ける必要がなくなり、本体ケーシング構造を簡略化でき、コストを低減することができる。
【００４５】
また、図７は図６のVII−VII線から見た断面図を示している。図７に示すように、底フレーム３１内の室内熱交換器１５の後面側に、室内ファン１８と共に風通路２０を設けている。上記底フレーム３１内、かつ、室内熱交換器１５および風通路２０の側方に側室Ｓを風通路２０と隔てて設け、その側室Ｓ内に配管接続部６０を配置している。さらに、上記側室Ｓ内の上側に電装品箱８０(図８に示す)配置し、その側室Ｓ内かつ電装品箱８０近傍に電磁弁１９を配置している。上記電装品箱８０は、底フレーム３１の側室Ｓ内から前方に引き出して外すことが可能なように、底フレーム３１に取り付けられている。図６では、電装品箱８０のない状態で電磁弁１９を示している。この電磁弁１９のコイルは、電装品箱８０とハーネスを介して接続されている。
【００４６】
図８は図６に示す上記室内機２の右上部分の電装品箱８０が取り付けられたときの拡大図を示し、図７に示した電磁弁１９は電装品箱８０の後方に隠れて見えない。また、電装品箱８０の前面側に、電源配線等を接続する端子台９０が設けられ、その端子台９０の近傍かつすぐ後方に電磁弁１９のコイルがある。
【００４７】
また、図９は上記室内機２の右上部分を右側方から見た側面図を示し、図７に示した電磁弁１９は、電装品箱８０の側方かつ後側に配置されている。
【００４８】
また、図１０は図６に示す上記室内機２の右上部分の電装品箱８０を除いた拡大図を示し、図１１は図１０を後面側から見た図を示している。
【００４９】
このように、再熱除湿機能を備えた床置き型および壁埋め込み型の空気調和機の室内機２において、本体ケーシング(３１,３２)の右側の側室Ｓ内かつ電装品箱８０近傍に、再熱除湿用の電磁弁１９を配置したことによって、配管接続部６０よりも上側に配置された電装品箱８０近傍の電磁弁１９が配管接続の作業の妨げにならないので、外部から連絡配管が接続される配管接続の作業スペースを確保しつつ、同時に電磁弁１９のコイルからのハーネスを短くでき、ハーネスの引き回しを簡略化して組立などの作業時間を短縮することが可能となる。したがって、本体ケーシング(３１,３２)内のスペースを有効に利用して作業スペースを確保でき、据付時の配管接続の作業性を向上できる。
【００５０】
また、上記本体ケーシング(３１,３２)内の側方に設けられた側室Ｓの下側に設けられたドレン受部７１の上方に電磁弁１９が位置することによって、電磁弁１９に付着した結露水が滴下してもドレン受部７１で受けることができる。
【００５１】
また、上記ドレン受部７１の上方に、室内熱交換器１５および配管接続部６０に接続された配管のうちの少なくとも断熱されていない部分が位置することによって、そのような室内熱交換器１５および配管接続部６０に接続された配管に付着した結露水が滴下してもドレン受部７１で受けることができる。ここで、室内熱交換器１５および配管接続部６０に接続された配管のうちの少なくとも断熱されていない部分とは、例えば、室内熱交換器１５と電磁弁１９との間を接続する配管や、室内熱交換器１５と分流器との間を接続する配管などである。
【００５２】
また、上記電磁弁１９を開閉することによって、通常の冷房運転や暖房運転から再熱除湿運転に容易に切り換えることが可能となる。
【００５３】
また、上記電装品箱８０を本体ケーシング(３１,３２)の側室Ｓ内から前方に取り外し可能に取り付けられていることによって、電装品箱８０を前方に取り外して側室内かつ電装品箱８０近傍に配置された電磁弁１９の修理交換などを容易に行うことができ、メンテナンス性が向上する。
【００５４】
また、上記底フレーム３１の背面側を壁に埋め込んで設置するときに底フレーム３１から取り去り可能な左側カバー３６を蓋部材として用いることによって、目視用開口部３１aを覆う部材を別に用意する必要がなく、コストを低減することができる。
【００５５】
上記実施の形態では、壁埋め込み型の空気調和機の室内機は、壁に設けられた凹部に背面側を埋め込んで設置するが、床に底部が据え付けられるものに限らず、壁から離れた位置に設けられた凹部に背面側を埋め込んで設置するものでもよい。
【００５６】
また、上記実施の形態では、床置き型と壁埋め込み型のいずれにも適用できる空気調和機の室内機について説明したが、床置き型専用の空気調和機の室内機や壁埋め込み型専用の空気調和機の室内機にこの発明を適用してもよい。
【００５７】
また、上記実施の形態では、本体ケーシング(３１,３２)の右側の側室Ｓ内かつ電装品箱８０近傍に、再熱除湿用の電磁弁１９を配置した空気調和機の室内機について説明したが、本体ケーシング(３１,３２)の左側に側室を設け、その側室内かつ電装品箱近傍に弁を配置してもよい。
【００５８】
また、上記実施の形態では、底フレーム３１内の左側面近傍かつ下側にダクト部４０のホース接続部４０bが位置する空気調和機の室内機について説明したが、ダクト部のホース接続部は本体ケーシングの左側面近傍の下側に限らず、上側に位置してもよいし、本体ケーシングの右側面近傍の上下いずれの位置にあってもよい。
【００５９】
さらに、上記実施の形態では、第１熱交換部１５Ａと第２熱交換部１５Ｂとの間に電磁弁１９を配置したが、電磁弁の代わりに電動膨張弁を配置してもよい。
【図面の簡単な説明】
【００６０】
【図１】図１はこの発明の実施の一形態の空気調和機の室内機と室外機の冷媒回路の回路図である。
【図２】図２は上記空気調和機の室内機の斜視図である。
【図３】図３は床置き型として据え付けられた室内機の側面図である。
【図４】図４は上側カバー,左側カバーを外した状態の室内機を示す側面図である。
【図５】図５は上記空気調和機の壁埋め込み型とした場合の室内機の側面図である。
【図６】図６は上記室内機の吸込パネルと前面グリルを取り外した状態を示す正面図である。
【図７】図７は図６のVII−VII線から見た断面図である。
【図８】図８は図６に示す上記室内機の右上部分の電装品箱が取り付けられたときの拡大図である。
【図９】図９は上記室内機の右上部分を右側方から見た側面図である。
【図１０】図１０は図６に示す上記室内機の右上部分の電装品箱を除いた拡大図である。
【図１１】図１１は図１０を後面側から見た図である。
【符号の説明】
【００６１】
１…室外機
２…室内機
１１…圧縮機
１２…四路切換弁
１３…室外熱交換器
１４…電動膨張弁
１５…室内熱交換器
１５Ａ…第１熱交換部
１５Ｂ…第２熱交換部
１６…アキュムレータ
１７…室外ファン
１８…室内ファン
１９…電磁弁
２０…風通路
２１,２２…閉鎖弁
３１…底フレーム
３２…前面グリル
３２a…上側吹出口
３２b…下側吹出口
３３…吸込パネル
３３a…上側吸込口
３３b…下側吸込口
３３c…側方吸込口
３４…フラップ
４０…ダクト部
４０a…室内側開口部
４０b…ホース接続部
４１…加湿ホース
４２…加湿ユニット
７０…ドレンパン
７１…ドレン受部
７２…ドレン排水口
８０…電装品箱
９０…端子台
Ｌ１,Ｌ２…連絡配管
【図１】
2008256276.tif 000003
【図２】
2008256276.tif 000004
【図３】
2008256276.tif 000005
【図４】
2008256276.tif 000006
【図５】
2008256276.tif 000007
【図６】
2008256276.tif 000008
【図７】
2008256276.tif 000009
【図８】
2008256276.tif 000010
【図９】
2008256276.tif 000011
【図１０】
2008256276.tif 000012
【図１１】
2008256276.tif 000013
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
床置き型または壁埋め込み型の空気調和機の室内機であって、
後面側が壁面に対向するかまたは上記壁面に埋め込まれる底フレーム(３１)と、上記底フレーム(３１)の前面側に取り付けられた前面グリル(３２)とを有する本体ケーシング(３１,３２)と、
上記本体ケーシング(３１,３２)内に前面側が前方に向かって配置された略平面形状の熱交換器(１５)と、
上記本体ケーシング(３１,３２)内の上記熱交換器(１５)の後面側に設けられた風通路(２０)と、
上記本体ケーシング(３１,３２)内、かつ、上記熱交換器(１５)および上記風通路(２０)の側方の側室と、
上記側室内に配置された配管接続部(６０)と、
上記側室内かつ上記配管接続部(６０)の上側に配置された電装品箱(８０)と、
上記側室内かつ上記電装品箱(８０)近傍に配置された弁(１９)と
を備えたことを特徴とする空気調和機の室内機。
【請求項２】
請求項１に記載の空気調和機の室内機において、
上記本体ケーシング(３１,３２)内の上記側室の下側に設けられたドレン受部(７１)を備え、
上記ドレン受部(７１)の上方に上記弁(１９)が位置することを特徴とする空気調和機の室内機。
【請求項３】
請求項２に記載の空気調和機の室内機において、
上記ドレン受部(７１)の上方に、上記熱交換器(１５)および上記配管接続部(６０)に接続された配管のうちの少なくとも断熱されていない部分が位置することを特徴とする空気調和機の室内機。
【請求項４】
請求項１乃至３のいずれか１つに記載の空気調和機の室内機において、
上記弁(１９)は、電磁弁または電動膨張弁であることを特徴とする空気調和機の室内機。
【請求項５】
請求項１乃至４のいずれか１つに記載の空気調和機の室内機において、
上記電装品箱(８０)は、上記本体ケーシング(３１,３２)の上記側室内から前方に取り外し可能に取り付けられていることを特徴とする空気調和機の室内機。
【請求項６】
請求項１乃至３のいずれか１つに記載の空気調和機の室内機において、
上記弁(１９)は、再熱除湿用の電磁弁または再熱除湿用の電動膨張弁であることを特徴とする空気調和機の室内機。
【手続補正２】
【補正対象書類名】明細書
【補正対象項目名】全文
【補正方法】変更
【補正の内容】
【発明の詳細な説明】
【技術分野】
【０００１】
この発明は、空気調和機の室内機に関し、特に、再熱除湿機能を備えた床置き型または壁埋め込み型の空気調和機の室内機に関する。
【背景技術】
【０００２】
従来、空気調和機の室内機としては、室内の壁に後面側が接するように床に据え付けられる床置き型のものがある(例えば、特開平１１−２３０５６５号公報(特許文献１)参照)。
【０００３】
このような床置き型の空気調和機の室内機において、室内温度を下げすぎることなく除湿を行う再熱除湿機能を備えようとすると、室内熱交換器を２つの熱交換部に分けて、その熱交換部の間に電磁弁を配置して、一方の熱交換部を蒸発器とし、他方の熱交換部を凝縮器として働かせて再熱除湿運転を行うものがある。
【０００４】
この再熱除湿機能を備えた空気調和機の室内機の場合、室外からの連絡配管が接続される配管接続部や電装品箱が配置された限られたスペースに電磁弁を配置すると、配管接続の作業スペースが狭くなり、施工時の作業性が低下するという問題がある。
【特許文献１】特開平１１−２３０５６５号公報
【発明の開示】
【発明が解決しようとする課題】
【０００５】
そこで、この発明の課題は、床置き型または壁埋め込み型の空気調和機において、本体ケーシング内のスペースを有効に利用して作業スペースを確保でき、据付時の配管接続の作業性を向上できる空気調和機の室内機を提供することにある。
【課題を解決するための手段】
【０００６】
上記課題を解決するため、この発明の空気調和機の室内機は、
床置き型または壁埋め込み型の空気調和機の室内機であって、
後面側が壁面に対向するかまたは上記壁面に埋め込まれる底フレームと、上記底フレームの前面側に取り付けられた前面グリルとを有する本体ケーシングと、
上記本体ケーシング内に前面側が前方に向かって配置された略平面形状の熱交換器と、
上記本体ケーシング内の上記熱交換器の後面側に設けられた風通路と、
上記本体ケーシング内、かつ、上記熱交換器および上記風通路の側方の側室と、
上記側室内に配置された配管接続部と、
上記側室内かつ上記配管接続部の上側に配置された電装品箱と、
上記側室内かつ上記電装品箱近傍に配置された弁と
を備えたことを特徴とする。
【０００７】
上記構成によれば、後面側が壁面に対向するかまたは上記壁面に埋め込まれる底フレームと、上記底フレームの前面側に取り付けられた前面グリルとを有する上記本体ケーシング内において、略平面形状の熱交換器およびその熱交換器の後面側に設けられた風通路の側方に風通路と隔てて側室が設けられ、その側室内かつ配管接続部の上側に電装品箱を配置すると共に、側室内かつ電装品箱近傍に弁を配置することによって、通常、配管接続部よりも上側に配置された電装品箱近傍の弁が配管接続の作業の妨げにならない。このように、外部から連絡配管が接続される配管接続の作業スペースを確保しつつ、同時に弁のコイルからのハーネスを短くでき、ハーネスの引き回しを簡略化して組立などの作業時間を短縮する。したがって、床置き型または壁埋め込み型の空気調和機において、本体ケーシング内のスペースを有効に利用して作業スペースを確保でき、据付時の配管接続の作業性を向上できる。
【０００８】
また、一実施形態の空気調和機の室内機では、
上記本体ケーシング内の上記側室の下側に設けられたドレン受部を備え、
上記ドレン受部の上方に上記弁が位置する。
【０００９】
上記実施形態によれば、上記本体ケーシング内の上記側室の下側に設けられたドレン受部の上方に弁が位置することによって、弁に付着した結露水が滴下してもドレン受部で受けることができる。
【００１０】
また、一実施形態の空気調和機の室内機では、上記ドレン受部の上方に、上記熱交換器および上記配管接続部に接続された配管のうちの少なくとも断熱されていない部分が位置する。
【００１１】
上記実施形態によれば、上記ドレン受部の上方に、熱交換器および配管接続部に接続された配管のうちの少なくとも断熱されていない部分が位置することによって、そのような熱交換器および配管接続部に接続された配管に付着した結露水が滴下してもドレン受部で受けることができる。
【００１２】
また、一実施形態の空気調和機の室内機では、上記弁は、電磁弁または電動膨張弁である。
【００１３】
上記実施形態によれば、上記弁に用いられる電磁弁(または電動膨張弁)のコイルと電装品箱との間の配線距離を短くでき、配線の引き回しを簡略化して組立などの作業時間を短縮することが可能となる。
【００１４】
また、一実施形態の空気調和機の室内機では、上記電装品箱は、上記本体ケーシングの上記側室内から前方に取り外し可能に取り付けられている。
【００１５】
上記実施形態によれば、上記電装品箱を本体ケーシングの側室内から前方に取り外すことにより、上記側室内かつ電装品箱近傍に配置された弁の修理交換などが容易にでき、メンテナンス性が向上する。
【００１６】
また、一実施形態の空気調和機の室内機では、上記弁は、再熱除湿用の電磁弁または再熱除湿用の電動膨張弁である。
【００１７】
上記実施形態によれば、上記弁に再熱除湿用の電磁弁または再熱除湿用の電動膨張弁を用いて電磁弁または電動膨張弁を開閉することによって、通常の冷房運転や暖房運転から再熱除湿運転に容易に切り換えることが可能となる。また、上記再熱除湿用の電磁弁(または再熱除湿用の電動膨張弁)のコイルと電装品箱との間の配線距離を短くでき、配線の引き回しを簡略化して組立などの作業時間を短縮することが可能となる。ここで、弁に再熱除湿用の電磁弁を用いる場合は、キャピラリが並列に接続された閉動作で全閉となる電磁弁でもよいし、閉動作で絞り機能を有する電磁弁であってもよい。
【発明の効果】
【００１８】
以上より明らかなように、この発明の空気調和機の室内機によれば、本体ケーシング内のスペースを有効に利用して作業スペースを確保でき、据付時の配管接続の作業性を向上できる再熱除湿機能を備えた床置き型または壁埋め込み型の空気調和機の室内機を実現することができる。
【００１９】
また、一実施形態の空気調和機の室内機によれば、上記本体ケーシング内の側室の下側に設けられたドレン受部の上方に弁が位置することによって、弁に付着した結露水が滴下してもドレン受部で受けることができる。
【００２０】
また、一実施形態の空気調和機の室内機によれば、上記ドレン受部の上方に、熱交換器および配管接続部に接続された配管のうちの少なくとも断熱されていない部分が位置することによって、そのような熱交換器および配管接続部に接続された配管に付着した結露水が滴下してもドレン受部で受けることができる。
【００２１】
また、一実施形態の空気調和機の室内機によれば、上記弁に用いられる電磁弁(または電動膨張弁)のコイルと電装品箱との間の配線距離を短くでき、配線の引き回しを簡略化して組立などの作業時間を短縮することが可能となる。
【００２２】
また、一実施形態の空気調和機の室内機によれば、上記電装品箱を本体ケーシングの側室内から前方に取り外し可能に取り付けられていることによって、電装品箱を前方に取り外して側室内かつ電装品箱近傍に配置された弁の修理交換などを容易に行うことができ、メンテナンス性が向上する。
【００２３】
また、一実施形態の空気調和機の室内機によれば、弁に再熱除湿用の電磁弁または再熱除湿用の電動膨張弁を用いて開閉することによって、通常の冷房運転や暖房運転から再熱除湿運転に容易に切り換えることが可能となる。
【発明を実施するための最良の形態】
【００２４】
以下、この発明の空気調和機の室内機を図示の実施の形態により詳細に説明する。
【００２５】
図１はこの発明の実施の一形態の空気調和機の室内機２とその室内機２に連絡配管Ｌ１,Ｌ２を介して接続された室外機１の冷媒回路の回路図を示している。この空気調和機は、図１に示すように、圧縮機１１と、上記圧縮機１１の吐出側が一端に接続された四路切換弁１２と、上記四路切換弁１２の他端に一端が接続された室外熱交換器１３と、上記室外熱交換器１３の他端に一端が接続された電動膨張弁１４と、上記電動膨張弁１４の他端に閉鎖弁２１,連絡配管Ｌ１を介して一端が接続された第１熱交換部１５Ａと、上記第１熱交換部１５Ａの他端に一端が接続された弁の一例として再熱除湿用の電磁弁１９と、その電磁弁１９の他端に一端が接続された第２熱交換部１５Ｂと、上記第２熱交換部１５Ｂの他端に連絡配管Ｌ２,閉鎖弁２２,四路切換弁１２を介して一端が接続され、他端が圧縮機１１の吸入側に接続されたアキュムレータ１６とを備えている。上記第１熱交換部１５Ａ,と第２熱交換部１５Ｂで室内熱交換器１５(図３,図６,図７に示す)を構成している。
【００２６】
上記圧縮機１１,四路切換弁１２,室外熱交換器１３,電動膨張弁１４,室内熱交換器１５,電磁弁１９およびアキュムレータ１６で冷媒回路を構成している。上記圧縮機１１,四路切換弁１２,室外熱交換器１３,電動膨張弁１４,アキュムレータ１６,室外ファン１７および加湿ユニット４２で室外機１を構成し、第１熱交換部１５Ａ,第２熱交換部１５Ｂ,室内ファン１８,電磁弁１９およびダクト部４０で室内機２を構成している。
【００２７】
また、この空気調和機は、室外からの加湿空気を室内に供給するためのダクト部４０を室内機２に備えると共に、そのダクト部４０のホース接続部４０bと加湿ホース４１を介して接続された加湿ユニット４２を室外機１に備えている。
【００２８】
上記構成の空気調和機において、暖房運転時、電磁弁１９を開いた状態で四路切換弁１２を実線の切換え位置に切り換えて、圧縮機１１を起動すると、圧縮機１１から吐出された高圧冷媒が四路切換弁１２を通って第２熱交換部１５Ｂ,第１熱交換部１５Ａに入る。そして、上記第１,第２熱交換部１５Ａ,１５Ｂで凝縮した冷媒は、電動膨張弁１４で減圧された後に室外熱交換器１３に入る。上記室外熱交換器１３で蒸発した冷媒が四路切換弁１２およびアキュムレータ１６を介して圧縮機１１の吸入側に戻る。こうして、上記圧縮機１１,第１熱交換部１５Ａ,電磁弁１９,第２熱交換部１５Ｂ,電動膨張弁１４,室外熱交換器１３およびアキュムレータ１６で構成された冷媒回路を冷媒が循環して、冷凍サイクルを実行する。そして、室内ファン１８により第１,第２熱交換部１５Ａ,１５Ｂを介して室内空気を循環させることにより室内を暖房する。
【００２９】
これに対して、冷房運転時は、電磁弁１９を開いた状態で四路切換弁１２を点線の切換え位置に切り換えて、圧縮機１１,室外熱交換器１３,電動膨張弁１４,第１熱交換部１５Ａ,電磁弁１９,第２熱交換部１５Ｂおよびアキュムレータ１６の順に冷媒が循環する冷凍サイクルを実行する。
【００３０】
また、暖房運転時等において室内が乾燥する場合、加湿ユニット４２からの加湿空気を加湿ホース４１とダクト部４０を介して室内に供給する。この加湿ユニット４２は、ゼオライト等の吸着材を用いて室外空気から水分を吸着し、その吸着剤に吸着した水分により室外空気を加湿した後、加湿された室外空気を室内機２に供給するものである。なお、加湿ユニットの構成はこれに限らず、水道などの給水手段により補給される水を用いて、加湿された空気を室内機に供給する加湿ユニットなどでもよい。
【００３１】
そして、室内温度を下げすぎずに快適な除湿を行う再熱除湿運転では、電動膨張弁１４を開くと共に電動弁１９を閉じて絞り状態にし、さらに四路切換弁１２を実線の位置に切り換えて、圧縮機１１を起動すると、室外熱交換器１３と第１熱交換部１５Ａが凝縮器として働く一方、第２熱交換部１５Ｂが蒸発器として働く。そうすることにより、第１熱交換部１５Ａで室内空気を温めつつ第２熱交換部１５Ｂで除湿と冷却が行われて、室内温度を下げずに除湿を行う。
【００３２】
図２は上記空気調和機の床置き型の室内機２の斜視図を示している。この室内機２は、図２に示すように、室内の壁面に後面側が取り付けられる略長方形状の底フレーム３１と、上記底フレーム３１の前面側に取り付けられ、前面に略長方形状の開口部(図示せず)を有する前面グリル３２と、前面グリル３２の開口部を覆うように取り付けられた吸込パネル３３とを備えている。上記底フレーム３１と前面グリル３２で本体ケーシングを構成している。
【００３３】
上記前面グリル３２の上部に上側吹出口３２aを設けると共に、前面グリル３２の下部に下側吹出口３２bを設けている。上記前面グリル３２の上側吹出口３２aにフラップ３４を設けている。このフラップ３４は、冷房運転および暖房運転時に回動して、上側吹出口３２aから冷風,温風を前方かつ斜め上方に吹き出し、運転停止時に上側吹出口３２aを覆う。
【００３４】
また、上記吸込パネル３３の上側に上側吸込口３３aを設け、吸込パネル３３の下側に下側吸込口３３bを設け、さらに吸込パネル３３の左右の側面に側方吸込口３３c(図２では右側のみを示す)を設けている。
【００３５】
また、上記底フレーム３１の前面グリル３２の後縁近傍に、上側カバー３５と、左側カバー３６(図３に示す)と、右側カバー３７とを取り外し自在に夫々取り付けている。この上側カバー３５,左側カバー３６および右側カバー３７は、係止爪(図示せず)が夫々設けられ、その係止爪が底フレーム３１に設けられた係合部(図示せず)に係合することにより、上側カバー３５,左側カバー３６および右側カバー３７が底フレーム３１に夫々固定されている。
【００３６】
図３は床置き型として据え付けられた室内機２の側面図を示している。図３に示すように、本体ケーシング(３１,３２)内の左側面近傍かつ下側にダクト部４０を配置している。上記ダクト部４０は、吸込パネル３３と室内熱交換器１５との間に、加湿された室外空気を室内に供給するための給気口の一例としての室内側開口４０aを一端に有し、底フレーム３１内の左側面近傍かつ下側で、室外に連なる空気通路としての加湿ホース４１の一端が接続されるホース接続部４０bを他端に有している。図３において、上側カバー３５,左側カバー３６および右側カバー３７(図２に示す)は、底フレーム３１に取り付けられている。
【００３７】
この室内機２は、背面側を壁面に接するように床置きされている。上記加湿ホース４１は、壁面側から連絡配管Ｌ１,Ｌ２(図１に示す)と共に室内機２に接続される。
【００３８】
図４は図３に示す上側カバー３５,左側カバー３６を外した状態の室内機２を示す側面図を示している。なお、図４では、上側カバー３５を外しているが、壁埋め込みとしないときは接続作業時に上側カバー３５を外さなくともよい。
【００３９】
この室内機２を据え付けるとき、図４に示すように、左側カバー３６を底フレーム３１から外した状態で作業者の手が入る程度に壁面から離した位置に室内機２に仮置きして、目視用開口部３１aを介して目視確認しながら加湿ホース４１をホース接続部４０bに容易に接続する。そして、加湿ホース４１および連絡配管Ｌ１,Ｌ２(図１に示す)の接続が完了した後、再び上側カバー３５と左側カバー３６を底フレーム３１に取り付ける。次に、図３に示すように、室内機２の背面側を壁面につけてねじ等を用いて壁３０に固定する。
【００４０】
なお、図５に示すように、この室内機２において、図２,図３に示す上側カバー３５,左側カバー３６および右側カバー３７を外した状態で底フレーム３１の一部(前面グリル３２の後縁よりも背面側部分)を壁３０内に埋め込んで据え付けてもよい。
【００４１】
また、図６は上記室内機２の吸込パネル３３と前面グリル３２を取り外した状態を示す正面図を示している。図６に示すように、底フレーム３１の前面側に略平面形状の室内熱交換器１５が配置され、その裏面側に室内ファン１８を配置している。この室内ファン１８は、前面側から空気を吸い込んで半径方向外向に吹き出すターボファンである。上記底フレーム３１の左側面近傍かつ下側にダクト部４０を配置している。このダクト部４０は、後面側斜め上方に向かって開口する略長方形状の室内側開口部４０aを上端に有する本体４０cと、その本体４０cの下端から下方に延びて後面側に向かって湾曲する湾曲部４０dとを有する。このダクト部４０の湾曲部４０dの下端にホース接続部４０b(図３,図４に示す)を設けている。上記底フレーム３１の上側に上側吹出口３２aを有すると共に、底フレーム３１の下側に下側吹出口３２bを有している。
【００４２】
また、図６に示すように、底フレーム３１の右側面近傍の側室Ｓに、連絡配管Ｌ１,Ｌ２が接続される配管接続部６０を設けている。連絡配管Ｌ１,Ｌ２は、底フレーム３１の左側面近傍かつ下側に背面側から加湿ホース４１(図３〜図５に示す)と共に入り、底フレーム３１内の下側を左から右に向かって導かれて配管接続部６０に接続される。
【００４３】
ここで、底フレーム３１の左側面において、連絡配管Ｌ１,Ｌ２(図１に示す)を左側方から底フレーム３１内に入れて配管接続部６０に接続する場合、図４に示す底フレーム３１の目視用開口部３１aの後面側に底フレーム３１と一体に形成された台形状の板部材３１bを外すことにより、板部材３１bが外された部分と目視用開口部３１aによって、連絡配管Ｌ１,Ｌ２を左側方から底フレーム３１内に挿入するための穴が形成される。上記板部材３１bの目視用開口部３１a側を除く外周に溝を形成することにより薄肉にして、板部材３１bを外しやすくしている。
【００４４】
このように、連絡配管Ｌ１,Ｌ２を左側方から配管接続部６０に接続するための穴の一部を目視用開口部３１aに兼用しているので、別に目視用開口部を本体ケーシングに設ける必要がなくなり、本体ケーシング構造を簡略化でき、コストを低減することができる。
【００４５】
また、図７は図６のVII−VII線から見た断面図を示している。図７に示すように、底フレーム３１内の室内熱交換器１５の後面側に、室内ファン１８と共に風通路２０を設けている。上記底フレーム３１内、かつ、室内熱交換器１５および風通路２０の側方に側室Ｓを風通路２０と隔てて設け、その側室Ｓ内に配管接続部６０を配置している。さらに、上記側室Ｓ内の上側に電装品箱８０(図８に示す)配置し、その側室Ｓ内かつ電装品箱８０近傍に電磁弁１９を配置している。上記電装品箱８０は、底フレーム３１の側室Ｓ内から前方に引き出して外すことが可能なように、底フレーム３１に取り付けられている。図６では、電装品箱８０のない状態で電磁弁１９を示している。この電磁弁１９のコイルは、電装品箱８０とハーネスを介して接続されている。
【００４６】
図８は図６に示す上記室内機２の右上部分の電装品箱８０が取り付けられたときの拡大図を示し、図７に示した電磁弁１９は電装品箱８０の後方に隠れて見えない。また、電装品箱８０の前面側に、電源配線等を接続する端子台９０が設けられ、その端子台９０の近傍かつすぐ後方に電磁弁１９のコイルがある。
【００４７】
また、図９は上記室内機２の右上部分を右側方から見た側面図を示し、図７に示した電磁弁１９は、電装品箱８０の側方かつ後側に配置されている。
【００４８】
また、図１０は図６に示す上記室内機２の右上部分の電装品箱８０を除いた拡大図を示し、図１１は図１０を後面側から見た図を示している。
【００４９】
このように、再熱除湿機能を備えた床置き型および壁埋め込み型の空気調和機の室内機２において、本体ケーシング(３１,３２)の右側の側室Ｓ内かつ電装品箱８０近傍に、再熱除湿用の電磁弁１９を配置したことによって、配管接続部６０よりも上側に配置された電装品箱８０近傍の電磁弁１９が配管接続の作業の妨げにならないので、外部から連絡配管が接続される配管接続の作業スペースを確保しつつ、同時に電磁弁１９のコイルからのハーネスを短くでき、ハーネスの引き回しを簡略化して組立などの作業時間を短縮することが可能となる。したがって、本体ケーシング(３１,３２)内のスペースを有効に利用して作業スペースを確保でき、据付時の配管接続の作業性を向上できる。
【００５０】
また、上記本体ケーシング(３１,３２)内の側方に設けられた側室Ｓの下側に設けられたドレン受部７１の上方に電磁弁１９が位置することによって、電磁弁１９に付着した結露水が滴下してもドレン受部７１で受けることができる。
【００５１】
また、上記ドレン受部７１の上方に、室内熱交換器１５および配管接続部６０に接続された配管のうちの少なくとも断熱されていない部分が位置することによって、そのような室内熱交換器１５および配管接続部６０に接続された配管に付着した結露水が滴下してもドレン受部７１で受けることができる。ここで、室内熱交換器１５および配管接続部６０に接続された配管のうちの少なくとも断熱されていない部分とは、例えば、室内熱交換器１５と電磁弁１９との間を接続する配管や、室内熱交換器１５と分流器との間を接続する配管などである。
【００５２】
また、上記電磁弁１９を開閉することによって、通常の冷房運転や暖房運転から再熱除湿運転に容易に切り換えることが可能となる。
【００５３】
また、上記電装品箱８０を本体ケーシング(３１,３２)の側室Ｓ内から前方に取り外し可能に取り付けられていることによって、電装品箱８０を前方に取り外して側室内かつ電装品箱８０近傍に配置された電磁弁１９の修理交換などを容易に行うことができ、メンテナンス性が向上する。
【００５４】
また、上記底フレーム３１の背面側を壁に埋め込んで設置するときに底フレーム３１から取り去り可能な左側カバー３６を蓋部材として用いることによって、目視用開口部３１aを覆う部材を別に用意する必要がなく、コストを低減することができる。
【００５５】
上記実施の形態では、壁埋め込み型の空気調和機の室内機は、壁に設けられた凹部に背面側を埋め込んで設置するが、床に底部が据え付けられるものに限らず、壁から離れた位置に設けられた凹部に背面側を埋め込んで設置するものでもよい。
【００５６】
また、上記実施の形態では、床置き型と壁埋め込み型のいずれにも適用できる空気調和機の室内機について説明したが、床置き型専用の空気調和機の室内機や壁埋め込み型専用の空気調和機の室内機にこの発明を適用してもよい。
【００５７】
また、上記実施の形態では、本体ケーシング(３１,３２)の右側の側室Ｓ内かつ電装品箱８０近傍に、再熱除湿用の電磁弁１９を配置した空気調和機の室内機について説明したが、本体ケーシング(３１,３２)の左側に側室を設け、その側室内かつ電装品箱近傍に弁を配置してもよい。
【００５８】
また、上記実施の形態では、底フレーム３１内の左側面近傍かつ下側にダクト部４０のホース接続部４０bが位置する空気調和機の室内機について説明したが、ダクト部のホース接続部は本体ケーシングの左側面近傍の下側に限らず、上側に位置してもよいし、本体ケーシングの右側面近傍の上下いずれの位置にあってもよい。
【００５９】
さらに、上記実施の形態では、第１熱交換部１５Ａと第２熱交換部１５Ｂとの間に電磁弁１９を配置したが、電磁弁の代わりに電動膨張弁を配置してもよい。
【図面の簡単な説明】
【００６０】
【図１】図１はこの発明の実施の一形態の空気調和機の室内機と室外機の冷媒回路の回路図である。
【図２】図２は上記空気調和機の室内機の斜視図である。
【図３】図３は床置き型として据え付けられた室内機の側面図である。
【図４】図４は上側カバー,左側カバーを外した状態の室内機を示す側面図である。
【図５】図５は上記空気調和機の壁埋め込み型とした場合の室内機の側面図である。
【図６】図６は上記室内機の吸込パネルと前面グリルを取り外した状態を示す正面図である。
【図７】図７は図６のVII−VII線から見た断面図である。
【図８】図８は図６に示す上記室内機の右上部分の電装品箱が取り付けられたときの拡大図である。
【図９】図９は上記室内機の右上部分を右側方から見た側面図である。
【図１０】図１０は図６に示す上記室内機の右上部分の電装品箱を除いた拡大図である。
【図１１】図１１は図１０を後面側から見た図である。
【符号の説明】
【００６１】
１…室外機
２…室内機
１１…圧縮機
１２…四路切換弁
１３…室外熱交換器
１４…電動膨張弁
１５…室内熱交換器
１５Ａ…第１熱交換部
１５Ｂ…第２熱交換部
１６…アキュムレータ
１７…室外ファン
１８…室内ファン
１９…電磁弁
２０…風通路
２１,２２…閉鎖弁
３１…底フレーム
３２…前面グリル
３２a…上側吹出口
３２b…下側吹出口
３３…吸込パネル
３３a…上側吸込口
３３b…下側吸込口
３３c…側方吸込口
３４…フラップ
４０…ダクト部
４０a…室内側開口部
４０b…ホース接続部
４１…加湿ホース
４２…加湿ユニット
７０…ドレンパン
７１…ドレン受部
７２…ドレン排水口
８０…電装品箱
９０…端子台
Ｌ１,Ｌ２…連絡配管